(57)【要約】【課題】携行が可能な小型で薄型の体組成測定装置を提供する。【解決手段】体組成測定装置１００Ａは、被験者の身体のインピーダンスを計測するために被験者の右手を接触させる右手用電極１３１，１３３と、被験者の左手を接触させる左手用電極１３２，１３４とを装置本体に備える。装置本体は、右手用電極１３１，１３３が設けられた棒状に延びる右手用グリップ部１１１と、左手用電極１３２，１３４が設けられた棒状に延びる左手用グリップ部１１２と、右手用グリップ部１１１および左手用グリップ部１１２が取付けられるベース部１０３とを含む。右手用グリップ部１１１は、ベース部１０３に対して回動自在に取付けられ、右手用グリップ部１１１の延在方向と右手用グリップ部１１１の回動軸が延びる方向とが、異なる方向に配置されている。【選択図】図１
2007117623.tif 000002
【特許請求の範囲】
【請求項１】
被験者の一方の手を接触させる第１電極と、被験者の他方の手を接触させる第２電極と、前記第１電極および前記第２電極を用いて被験者の身体のインピーダンスを計測する計測手段とを装置本体に備えた体組成測定装置であって、
前記装置本体は、前記第１電極が設けられた棒状に延びる第１グリップ部と、前記第２電極が設けられた棒状に延びる第２グリップ部と、前記第１グリップ部および前記第２グリップ部が取付けられるベース部とを含み、
前記第１グリップ部は、前記ベース部に対して回動自在に取付けられ、
棒状に延びる前記第１グリップ部の延在方向が、前記第１グリップ部の回動軸が延びる方向と異なる方向に配置されている、体組成測定装置。
【請求項２】
前記第１グリップ部は、前記計測手段による計測が可能な第１の位置と前記計測手段による計測が不能な第２の位置との間で回動可能である、請求項１に記載の体組成測定装置。
【請求項３】
前記第１の位置は、前記第１グリップ部がその回動可能範囲内において前記第２グリップ部から最も遠ざかった場合の位置であり、
前記第２の位置は、前記第１グリップ部がその回動可能範囲内において前記第２グリップ部に最も近付いた場合の位置である、請求項２に記載の体組成測定装置。
【請求項４】
前記第１グリップ部が前記第２の位置にある場合に、棒状に延びる前記第１グリップ部の延在方向と棒状に延びる前記第２グリップ部の延在方向とが、同一方向となる、請求項２または３に記載の体組成測定装置。
【請求項５】
前記計測手段によって計測された計測結果に基づいた体組成を表示可能な表示手段をさらに備え、
前記表示手段は、前記第１グリップ部が前記第１の位置にある状態および前記第２の位置にある状態において露出している、請求項２から４のいずれかに記載の体組成測定装置。
【請求項６】
前記第１グリップ部を前記第１の位置および前記第２の位置に係止可能な係止手段をさらに備えた、請求項２から５のいずれかに記載の体組成測定装置。
【請求項７】
前記第１グリップ部が前記第１の位置にあるか否かを検知する検知手段をさらに備え、
前記検知手段によって前記第１グリップ部が前記第１の位置にあることが検知された場合に、前記計測手段に電源が供給されるように構成されている、請求項２から６のいずれかに記載の体組成測定装置。
【請求項８】
前記計測手段に電源が供給された場合に、前記計測手段による計測が直ちにあるいは所定時間経過後に開始されるように構成されている、請求項７に記載の体組成測定装置。
【請求項９】
前記第１グリップ部が前記第１の位置にあるか否かを検知する検知手段をさらに備え、
前記検知手段によって前記第１グリップ部が前記第１の位置にないことが検知された場合に、前記計測手段への電源の供給が停止されるように構成されている、請求項２から６のいずれかに記載の体組成測定装置。
【請求項１０】
前記第１グリップ部が、棒状に延びる前記第１グリップ部の軸線と棒状に延びる前記第２グリップの軸線とを含む平面内において回動する、請求項１から９のいずれかに記載の体組成測定装置。
【請求項１１】
前記第２グリップ部が、前記ベース部に対して回動自在に取付けられ、
棒状に延びる前記第２グリップ部の延在方向が、前記第２グリップ部の回動軸が延びる方向と異なる方向に配置されている、請求項１から１０のいずれかに記載の体組成測定装置。
【請求項１２】
前記第１グリップ部の回動軸が延びる方向と前記第２グリップ部の回動軸が延びる方向とが、同一方向である、請求項１１に記載の体組成測定装置。
【請求項１３】
前記第１グリップ部の回動軸と前記第２グリップ部の回動軸とが、同一直線上に重なっている、請求項１１に記載の体組成測定装置。
【請求項１４】
被験者の一方の手を接触させる第１電極と、被験者の他方の手を接触させる第２電極と、被験者の一方の足を接触させる第３電極と、被験者の他方の足を接触させる第４電極と、前記第１電極ないし前記第４電極を選択的にまたはすべて用いて被験者の身体のインピーダンスを計測する計測手段とを備えた体組成測定装置であって、
前記第１電極、前記第２電極および前記計測手段が、被験者が把持することが可能な第１ユニットに設けられ、
前記第３電極および前記第４電極が、被験者が載ることができる第２ユニットに設けられ、
前記第１ユニットは、前記第１電極が設けられた第１グリップ部と、前記第２電極が設けられた第２グリップ部と、前記第１グリップ部および前記第２グリップ部が取付けられるベース部とを含み、
前記第１グリップ部は、前記ベース部に対して回動自在に取付けられ、
棒状に延びる前記第１グリップ部の延在方向が、前記第１グリップ部の回動軸が延びる方向と異なる方向に配置されており、
前記第２ユニットは、前記第１グリップ部が前記第２の位置にある場合にのみ前記第１ユニットを収容可能な収容部を有している、体組成測定装置。
【請求項１５】
前記第１ユニットは、前記第２ユニットに対して着脱自在に有線接続される、請求項１４に記載の体組成測定装置。
【請求項１６】
前記第１ユニットは、前記計測手段によって計測された計測結果に基づいた体組成を表示可能な表示手段をさらに備え、
前記第１ユニットが前記収容部に収容された状態において、前記表示部が露出している、請求項１４または１５に記載の体組成測定装置。
【発明の詳細な説明】
【技術分野】
【０００１】
本発明は、被験者の身体のインピーダンスを計測することによって体組成を測定することが可能な体組成測定装置に関する。
【背景技術】
【０００２】
従来、身体のインピーダンスを計測することによって被験者の体組成を測定する体組成測定装置が知られている。この体組成測定装置は、健康管理に有用な情報を提供するものであり、家庭等において広く普及している。
【０００３】
この体組成測定装置としては、電極に接触させる身体の部位を両手のみとしたものと、電極を接触させる身体の部位を両手および両足としたものとに大別される。前者は、後者に比べて装置本体が小型化できるメリットがあり、携行可能な程度の大きさにまで小型化されている。一方、後者は、身体の部位別のインピーダンスを計測することが可能であり、前者に比べてより精緻な体組成の測定が可能になるメリットがある。
【０００４】
前者としては、たとえば特開平７−５１２４２号公報（特許文献１）に開示の体組成測定装置がある。この特許文献１に開示の体組成測定装置においては、表示部が設けられた本体ケーシングの左右の両端部に、右手用電極が設けられた右手用グリップ部と左手用電極が設けられた左手用グリップ部とがそれぞれ形成されており、これら電極を右手および左手によってそれぞれ把持することにより、体組成が測定可能となるように構成されている。その際、右手用グリップ部と左手用グリップ部とは、被験者の肩幅とほぼ同等となる程度に離間して配置され、正しい測定姿勢が維持されるように配慮されている。
【０００５】
後者としては、たとえば特開２００３−２２００４８号公報（特許文献２）に開示の体組成測定装置がある。この特許文献２に開示の体組成測定装置においては、装置本体を第１ユニットと第２ユニットとに分離し、これら第１ユニットと第２ユニットとを有線接続するとともに、第１ユニットに表示部、右手用電極が設けられた右手用グリップ部および左手用電極が設けられた左手用グリップ部を形成し、第２ユニットに右足用電極が設けられた右足用載置部および左足用電極が設けられた左足用載置部を形成し、右手用グリップ部および左手用グリップ部をそれぞれ右手および左手によって把持して第１ユニットを保持するとともに、右足用載置部および左足用載置部にそれぞれ右足および左足を載せて第２ユニット上に載ることにより、体組成が測定可能となるように構成されている。
【０００６】
携行が可能なように構成された上記特許文献１に開示の体組成測定装置においては、正しい測定姿勢を確保するために、それぞれの電極が設けられたグリップ部が本体ケーシングの両端部から突出して形成されている。そのため、携行が可能になるとはゆえ依然として装置は大きいものであり、携行に必ずしも適しているとはいい難い。そこで、上記特許文献１には、装置の携行に適するとともに測定時における両電極間の距離を調節可能とすべく、本体ケーシングに対してグリップ部を回動自在に取付けた構成の体組成測定装置が開示されている。
【０００７】
図１８は、上記特許文献１に開示された、本体ケーシングに対してグリップ部が回動自在に取付けられた体組成測定装置の斜視図である。図１８に示すように、この体組成測定装置１００Ｄにおいては、表示部１２８が設けられた本体ケーシング１０３の両端部に、右手用グリップ部１１１が設けられた右側ケーシング１０１および左手用グリップ部１１２が設けられた左側ケーシング１０２がそれぞれ回動自在に取付けられ、右手用グリップ部１１１に右手用電極１３１，１３３が、また左手用グリップ部１１２に左手用電極１３２，１３４がそれぞれ設けられている。これにより、右側ケーシング１０１は回動軸Ｏ１を中心に回動し、また左側ケーシング１０２は回動軸Ｏ２を中心に回動する。そのため、測定時においては、両グリップ部間の距離を調節することによって両電極間の距離を最適化することが可能となり、非使用時においては、表示部が設けられた本体ケーシングの主面に対して右手用グリップ部および左手用グリップ部が重ね合わされるように収納されるため、よりコンパクトな外形の体組成測定装置に構成されている。
【特許文献１】特開平７−５１２４２号公報
【特許文献２】特開２００３−２２００４８号公報
【発明の開示】
【発明が解決しようとする課題】
【０００８】
しかしながら、図１８に示す構成を採用した場合には、非使用時において表示部１２８が設けられた本体ケーシング１０３の主面に対して右側ケーシング１０１および左側ケーシング１０２が重ね合わされるように構成されているため、本体ケーシング１０３の長さは短くなるものの厚みが増す問題が生じる。電極と手との接触を安定的に確保するためには、右側ケーシング１０１および左側ケーシング１０２に設けられたグリップ部１１１，１１２を手にフィットする程度に太く形成する必要があり、この太く形成されたグリップ部１１１，１１２と本体ケーシング１０３とを重ね合わせた場合には、その厚みは非常に大きいものとなる。これは、棒状に形成された右手用グリップ部１１１の軸線Ｍ１の延在方向および左手用グリップ部１１２の軸線Ｍ２の延在方向がいずれも、右側ケーシング１０１の回動軸Ｏ１の延びる方向および左側ケーシング１０２の回動軸Ｏ２の延びる方向と同一方向であることに起因する。したがって、上記構成を採用したとしても、依然として携行には不向きなものとなってしまう。
【０００９】
そこで、本発明は、上述の問題点を解決すべくなされたものであり、携行が可能な小型で薄型の体組成測定装置を提供することを目的とする。
【課題を解決するための手段】
【００１０】
本発明の第１の局面に基づく体組成測定装置は、被験者の一方の手を接触させる第１電極と、被験者の他方の手を接触させる第２電極と、上記第１電極および上記第２電極を用いて被験者の身体のインピーダンスを計測する計測手段とを装置本体に備えたものである。上記装置本体は、上記第１電極が設けられた棒状に延びる第１グリップ部と、上記第２電極が設けられた棒状に延びる第２グリップ部と、上記第１グリップ部および上記第２グリップ部が取付けられるベース部とを含む。上記第１グリップ部は、上記ベース部に対して回動自在に取付けられ、棒状に延びる上記第１グリップ部の延在方向と上記第１グリップ部の回動軸が延びる方向とが、異なる方向となるように配置されている。
【００１１】
このように構成することにより、回動の前後において装置本体の厚みが常に維持されることになる。したがって、測定の際および携行の際のいずれの場合にも嵩張ることのない小型で薄型の体組成測定装置とすることができる。
【００１２】
上記本発明の第１の局面に基づく体組成測定装置にあっては、上記第１グリップ部が、上記計測手段による計測が可能な第１の位置と上記計測手段による計測が不能な第２の位置との間で回動可能であることが好ましい。
【００１３】
ここで、「計測手段による計測が可能な位置」とは、インピーダンスの計測の際に現に第１グリップ部が配置されている位置を意味するものであり、「計測手段による計測が不能な位置」とは、インピーダンスの計測が行われていない場合に第１グリップが取り得る位置のうち、最も携行に適した位置を意味するものである。なお、以下においては、「計測手段による計測が可能な位置」を「測定可能位置」と称するとともに、その位置に第１グリップ部が配置された状態を「測定可能状態」と称する。また、「計測手段による計測が不能な位置」を「収容位置」と称するとともに、その位置に第１グリップ部が配置された状態を「収容状態」と称する。
【００１４】
このように構成することにより、測定可能状態および収容状態のいずれの場合にも嵩張ることのない小型で薄型の体組成測定装置とすることができる。
【００１５】
上記本発明の第１の局面に基づく体組成測定装置にあっては、上記第１の位置が、上記第１グリップ部がその回動可能範囲内において上記第２グリップ部から最も遠ざかった場合の位置であることが好ましく、また、上記第２の位置は、上記第１グリップ部がその回動可能範囲内において上記第２グリップ部に最も近付いた場合の位置であることが好ましい。その場合に、より好ましくは、上記第１グリップ部が上記第２の位置にある場合に、上記第１グリップ部の延在方向が上記第２グリップ部の延在方向と実質的に平行となるように構成する。
【００１６】
このように構成することにより、装置本体を収容状態とした場合に、装置本体の外形を最も嵩張らないコンパクトな大きさにすることができ、また、装置本体を測定可能状態とした場合には、第１グリップ部と第２グリップ部とが被験者の肩幅程度の距離をもって離間配置されるように構成することが可能になるため、正しい測定姿勢が維持できるようになる。
【００１７】
上記本発明の第１の局面に基づく体組成測定装置においては、上記計測手段によって計測された計測結果に基づいた体組成を表示可能な表示手段をさらに備えていることが好ましく、その場合に、上記表示手段が、上記第１グリップ部が上記第１の位置にある状態および上記第２の位置にある状態において露出していることが好ましい。
【００１８】
このように構成することにより、表示部を測定可能状態と収容状態のいずれの状態においても視認することができるようになるため、取扱い性に優れた体組成測定装置とすることができる。
【００１９】
上記本発明の第１の局面に基づく体組成測定装置にあっては、上記第１グリップ部を上記第１の位置および上記第２の位置に係止可能な係止手段がさらに設けられていることが好ましい。
【００２０】
このように構成することにより、第１グリップ部が測定可能位置にある測定可能状態および第１グリップ部が収容位置にある収容状態をその状態のまま係止手段によって維持することができるようになるため、取扱い性に優れた体組成測定装置とすることができる。
【００２１】
上記本発明の第１の局面に基づく体組成測定装置においては、上記第１グリップ部が上記第１の位置にあるか否かを検知する検知手段をさらに備えていることが好ましく、その場合に、上記検知手段によって上記第１グリップ部が上記第１の位置にあることが検知された場合に、上記計測手段に電源が供給されるように構成されていることが好ましい。
【００２２】
このように構成することにより、電源ボタンを押す手間が省けるようになる。したがって、取扱い性に優れた体組成測定装置とすることができる。
【００２３】
上記本発明の第１の局面に基づく体組成測定装置においては、上記計測手段に電源が供給された場合に、上記計測手段による計測が直ちにあるいは所定時間経過後に開始されるように構成されていることが好ましい。
【００２４】
このように構成することにより、測定開始ボタンを独立して別途設ける必要がなくなるため、装置構成を簡素化することができる。また、測定開始ボタンを押す手間も省けるようになる。したがって、取扱い性に優れた小型の体組成測定装置とすることができる。
【００２５】
上記本発明の第１の局面に基づく体組成測定装置においては、上記第１グリップ部が上記第１の位置にあるか否かを検知する検知手段をさらに備えていることが好ましく、その場合に、上記検知手段によって上記第１グリップ部が上記第１の位置にないことが検知された場合に、上記計測手段への電源の供給が停止されるように構成されていることが好ましい。
【００２６】
このように構成することにより、電源ボタンを押す手間が省けるようになる。また、電源の消し忘れを防止することも可能になる。したがって、取扱い性に優れた体組成測定装置とすることができる。
【００２７】
上記本発明の第１の局面に基づく体組成測定装置にあっては、上記第１グリップ部が、棒状に延びる上記第１グリップ部の軸線と棒状に延びる上記第２グリップの軸線とを含む平面内において回動することが好ましい。
【００２８】
このように構成した場合にも、回動の前後において装置本体の厚みが常に維持されることになる。したがって、測定の際および携行の際のいずれの場合にも嵩張ることのない小型で薄型の体組成測定装置とすることができる。
【００２９】
上記本発明の第１の局面に基づく体組成測定装置にあっては、上記第２グリップ部が上記ベース部に対して回動自在に取付けられていてもよく、その場合には、棒状に延びる上記第２グリップ部の延在方向と上記第２グリップ部の回動軸が延びる方向とが異なる方向となるように配置されていることが好ましい。
【００３０】
このように構成した場合にも、回動の前後において装置本体の厚みが常に維持されることになる。したがって、測定の際および携行の際のいずれの場合にも嵩張ることのない小型で薄型の体組成測定装置とすることができる。
【００３１】
上記本発明の第１の局面に基づく体組成測定装置にあっては、上記第１グリップ部の回動軸が延びる方向と上記第２グリップ部の回動軸が延びる方向とが同一方向であることが好ましい。また、上記第１グリップ部の回動軸と上記第２グリップ部の回動軸とが同一直線上に重なっているように構成してもよい。
【００３２】
このように構成した場合にも、回動の前後において装置本体の厚みが常に維持されることになる。したがって、測定の際および携行の際のいずれの場合にも嵩張ることのない小型で薄型の体組成測定装置とすることができる。
【００３３】
本発明の第２の局面に基づく体組成測定装置は、被験者の一方の手を接触させる第１電極と、被験者の他方の手を接触させる第２電極と、被験者の一方の足を接触させる第３電極と、被験者の他方の足を接触させる第４電極と、上記第１電極ないし上記第４電極を選択的にまたはすべて用いて被験者の身体のインピーダンスを計測する計測手段とを備えたものである。上記第１電極、上記第２電極および上記計測手段は、被験者が把持することが可能な第１ユニットに設けられており、上記第３電極および上記第４電極は、被験者が載ることができる第２ユニットに設けられている。上記第１ユニットは、上記第１電極が設けられた棒状に延びる第１グリップ部と、上記第２電極が設けられた棒状に延びる第２グリップ部と、上記第１グリップ部および上記第２グリップ部が取付けられるベース部とを含む。上記第１グリップ部は、上記ベース部に対して回動自在に取付けられ、棒状に延びる上記第１グリップ部の延在方向と上記第１グリップ部の回動軸が延びる方向とが、異なる方向となるように配置されている。上記第２ユニットは、上記第２グリップ部が上記第２の位置にある場合にのみ上記第１ユニットを収容可能な収容部を有している。
【００３４】
このように構成することにより、第１グリップ部の回動の前後において第１ユニットの厚みが常に維持されることになる。したがって、嵩張ることのない小型で薄型の第１ユニットとすることができる。そのため、第２ユニットに設ける第１ユニットの収容部を小型化することができ、第２ユニット自体をも小型化することができる。したがって、全体として大幅に小型化された体組成測定装置とすることができる。
【００３５】
上記本発明の第２の局面に基づく体組成測定装置にあっては、上記第１ユニットが上記第２ユニットに対して着脱自在に有線接続されることが好ましい。
【００３６】
このように構成することにより、第１ユニットのみを用いて身体のインピーダンスを計測することによって体組成の測定を行なう使用態様と、第１ユニットおよび第２ユニットを用いて身体の部位別のインピーダンスを計測することによってより精緻に体組成を測定する使用態様とを選択することができるようになる。その場合に、第１ユニットのみを携行することも可能になり、また第１ユニットを第２ユニットの収容部に収容することも可能になり、使い勝手のよい体組成測定装置とすることができる。
【００３７】
上記本発明の第２の局面に基づく体組成測定装置にあっては、上記第１ユニットが上記収容部に収容された状態において、上記表示部が露出していることが好ましい。
【００３８】
このように構成することにより、上記いずれの使用態様を選択した場合にも、表示部が常に視認可能となるため、使い勝手のよい体組成測定装置とすることができる。
【発明の効果】
【００３９】
本発明によれば、携行が可能な小型で薄型の体組成測定装置とすることができる。
【発明を実施するための最良の形態】
【００４０】
以下、本発明の実施の形態について、図を参照して詳細に説明する。なお、以下に示す実施の形態においては、同一の部分について図中同一の符号を付し、その説明は繰り返さないこととする。
【００４１】
（実施の形態１）
図１は、本発明の実施の形態１における体組成測定装置の測定可能状態における外観を示す斜視図である。また、図２は、図１に示す体組成測定装置のハウジングの組付構造を示す分解斜視図である。まず、これらの図を参照して、本実施の形態における体組成測定装置の測定可能状態における外観構造およびハウジングの組付構造について説明する。
【００４２】
図１に示すように、本実施の形態における体組成測定装置１００Ａは、右手で把持するための右手用グリップ部１１１と、左手で把持するための左手用グリップ部１１２とを備えている。それぞれのグリップ部１１１，１１２は、手で把持が可能となるように棒状に形成されている。本実施の形態における体組成測定装置１００Ａにおいては、右手用グリップ部１１１が第１グリップ部に相当し、左手用グリップ部１１２が第２グリップ部に相当する。
【００４３】
図１および図２に示すように、体組成測定装置１００Ａの装置本体の外殻を構成するケーシングは、右側ケーシング１０１と、左側ケーシング１０２と、ベース部１０３としてのキャップ体１１３およびケース体１１４とによって構成されている。
【００４４】
右側ケーシング１０１は、一方向に向かって延在する棒状の部分からなる右手用グリップ部１１１と、この右手用グリップ部１１１の一端から連続して延び、環状に形成された環状部１１１ａとを有している。右手用グリップ部１１１はその内部に中空部を有しており、この中空部に連通するように環状部１１１ａの右手用グリップ部１１１に連続する部分に開口部１１１ｂ（図３参照）が設けられている。また、右側ケーシング１０１の環状部１１１ａの内周面の所定位置には、突起部１１１ｃが内側に向けて突設されている。なお、棒状に延びる右手用グリップ部１１１の軸線を図１中においてＭ１で示している。この軸線Ｍ１が延びる方向は、右手用グリップ部１１１の延在方向に相当する。
【００４５】
左側ケーシング１０２は、一方向に向かって延在する棒状の部分からなる左手用グリップ部１１２と、この左手用グリップ部１１２の一端から連続して延び、環状に形成された環状部１１２ａとを有している。左手用グリップ部１１２はその内部に中空部を有しており、この中空部に連通するように環状部１１２ａの左手用グリップ部１１２に連続する部分に開口部１１２ｂが設けられている。なお、棒状に延びる左手用グリップ部１１２の軸線を図１中においてＭ２で示している。この軸線Ｍ２が延びる方向は、左手用グリップ部１１２の延在方向に相当する。
【００４６】
ケース体１１４は、上面が開口した有底筒状の部材からなり、内部に収容空間１１４ａを有している。ケース体１１４の周壁の所定位置には、複数の開口部１１４ｂ，１１４ｃ，１１４ｄが設けられている。このうち、開口部１１４ｂは、組付け後において上述の右側ケーシング１０１に設けられた開口部１１１ｂに対面する位置に設けられ、開口部１１４ｃは、組付け後において上述の左側ケーシング１０２に設けられた開口部１１２ｂに対面する位置に設けられている。また、開口部１１４ｄは、上述の右側ケーシング１０１の環状部１１１ａに設けられた突起部１１１ｃに対応した位置に設けられており、この突起部１１１ｃは、組付け後において開口部１１４ｄ内を移動することになる。なお、ケース体１１４の外周面の下端には、外側に向けてフランジ部が形成されている。
【００４７】
キャップ体１１３は、ケース体１１４の上面開口を閉塞可能な板状の部材からなり、その上面の所定位置に表示部１２８の表示面を構成する表示窓１２８ａを有している。
【００４８】
ケース体１１４の周壁には、右側ケーシング１０１の環状部１１１ａおよび左側ケーシング１０２の環状部１１２ａがそれぞれこの順で外挿される。そして、右側ケーシング１０１の環状部１１１ａおよび左側ケーシング１０２の環状部１１２ａが外挿されたケース体１１４には、収容空間１１４ａを閉塞するようにキャップ体１１３が取付けられる。この際、右側ケーシング１０１の環状部１１１ａおよび左側ケーシング１０２の環状部１１２ａは、ケース体１１４の外周面上においてケース体１１４のフランジ部とキャップ体１１３の外周縁部とによって挟み込まれる。そして、左側ケーシング１０２は、ケース体１１４およびキャップ体１１３に対してそれぞれ図示しない固定手段によって互いに移動不能になるように固定され、右側ケーシング１０１は、上記固定手段により一体化された左側ケーシング１０２、ケース体１１４およびキャップ体１１３に対して回動自在に組付けられることになる。なお、右側ケーシング１０１の回動軸（すなわち右手用グリップ部１１１の回動軸）を図１中においてＯ１で示している。
【００４９】
図１および図２に示すように、右側ケーシング１０１の右手用グリップ部１１１の外表面の所定位置には、電極１３１，１３３が設けられている。これら電極１３１，１３３のうち、環状部１１１ａ側に位置する電極１３１は、インピーダンス測定時において電圧を測定するための電極であり、環状部１１１ａ側とは反対側に位置する電極１３３は、インピーダンス測定時において電流を印加するための電極である。これら電極１３１，１３３は、被験者の右手の内側に接触させるための第１電極に相当する。
【００５０】
左側ケーシング１０２の左手用グリップ部１１２の外表面の所定位置には、電極１３２，１３４が設けられている。これら電極１３２，１３４のうち、環状部１１２ａ側に位置する電極１３２は、インピーダンス測定時において電圧を測定するための電極であり、環状部１１２ａ側とは反対側に位置する電極１３４は、インピーダンス測定時において電流を印加するための電極である。これら電極１３２，１３４は、被験者の左手の内側に接触させるための第２電極に相当する。
【００５１】
上述のように、キャップ体１１３には表示窓１２８ａが設けられており、この部分において表示部１２８が形成されている。表示部１２８は、この体組成測定装置１００Ａによって測定された体組成等を表示するための表示手段である。本実施の形態における体組成測定装置１００Ａにおいては、表示部１２８の表示面が、右手用グリップ部１１１の軸線Ｍ１と左手用グリップ部１１２の軸線Ｍ２とを含む平面と実質的に平行となるように配置されている。なお、表示部１２８としては、たとえば液晶表示装置（ＬＣＤ）等が利用される。
【００５２】
表示部１２８に隣接する部分の右側ケーシング１０１には、各種設定を行なうための設定ボタン１２１および測定開始の指示を行なうための測定開始ボタン１２２が設けられている。また、表示部１２８に隣接する部分の左側ケーシング１０２には、個人データの設定時等において入力する値を選択するためのアップボタン１２３およびダウンボタン１２４が設けられている。これら設定ボタン１２１、測定開始ボタン１２２、アップボタン１２３およびダウンボタン１２４は、被験者の操作を受け付けるための操作部１２０（図６参照）に相当する。
【００５３】
図３は、本実施の形態における体組成測定装置の断面図である。次に、この図を参照して、本実施の形態における体組成測定装置の内部構造について説明する。
【００５４】
上述のように、本実施の形態における体組成測定装置１００Ａにおいては、右側ケーシング１０１の右手用グリップ部１１１の内部および左側ケーシング１０２の左手用グリップ部１１２の内部に中空部が設けられており、またケース体１１４の内部には収容空間１１４ａが形成されている。これら中空部および収容空間１１４ａに、体組成測定装置１００Ａを構成する各種部品が収容されている。
【００５５】
具体的には、図３に示すように、ケース体１１４の収容空間１１４ａには、回路基板１４０が配置されている。この回路基板１４０には、各種電子部品が実装されることにより、後述する各種の回路が形成されている。なお、表示部１２８もこの回路基板１４０上に設けられている。また、回路基板１４０の下方に位置する部分の収容空間１１４ａには、電池１５１が収容されている。電池１５１は、リード線によって回路基板１４０に電気的に接続されている。
【００５６】
右側ケーシング１０１の右手用グリップ部１１１に設けられた電極１３１，１３３には、半田等によってリード線が接続されており、これらリード線は、右側ケーシング１０１に設けられた開口部１１１ｂおよびケース体１１４に設けられた開口部１１４ｂを経由してケース体１１４の収容空間１１４ａに引き込まれ、回路基板１４０に電気的に接続されている。また、左側ケーシング１０２の左手用グリップ部１１２に設けられた電極１３２，１３４には、半田等によってリード線が接続されており、これらリード線は、左側ケーシング１０２に設けられた開口部１１２ｂ（図２参照）およびケース体１１４に設けられた開口部１１４ｃ（図２参照）を経由してケース体１１４の収容空間１１４ａに引き込まれ、回路基板１４０に電気的に接続されている。
【００５７】
本実施の形態における体組成測定装置１００Ａにおいては、上述のように、右側ケーシング１０１の右手用グリップ部１１１が、左側ケーシング１０２の左手用グリップ部１１２に対して相対的に回動する。その回動動作は、右手用グリップ部１１１の軸線Ｍ１と左手用グリップ部１１２の軸線Ｍ２とを含む平面内においてのみ可能であり、その回動可能範囲は、上述のケース体１１４の周壁に設けられた開口部１１４ｄの周方向における長さによって決定される。本実施の形態における体組成測定装置１００Ａにおいては、開口部１１４ｄの長さを調節することにより、右手用グリップ部１１１の回動角を概ね９０°としている。しかしながら、この回動角は、特に限定されるものではなく、好ましくは６０°〜１８０°の範囲内の角、より好ましくは、９０°〜１２０°の範囲内の角とする。
【００５８】
上記の構造を採用することにより、本実施の形態における体組成測定装置１００Ａにおいては、右手用グリップ部１１１がその回動可能範囲内において左手用グリップ部１１２から最も遠ざかった測定可能状態と、右手用グリップ部１１１がその回動可能範囲内において左手用グリップ部１１２に最も近付いた収容状態とをとることが可能になる。以下においては、体組成測定装置１００Ａが収容状態にある場合について詳説する。
【００５９】
図４は、本実施の形態における体組成測定装置の収容状態における外観を示す斜視図である。また、図５は、本実施の形態における体組成測定装置の収容状態における断面図である。
【００６０】
図４および図５に示すように、収容状態においては、右側ケーシング１０１の右手用グリップ部１１１の軸線Ｍ１の延びる方向と左側ケーシング１０２の左手用グリップ部１１２の軸線Ｍ２の延びる方向とが実質的に平行となるように、右側ケーシング１０１と左側ケーシング１０２とが配置される。具体的には図５に示すように、右手用グリップ部１１１を図中矢印Ａ方向に回動させることにより、こらら両グリップ部１１１，１１２の延在方向が実質的に平行に配置されることになる。その場合、表示部１２８は、露出した状態が維持される。ここで、表示部１２８が設けられたキャップ体１１３は、上述のように左側ケーシング１０２に固定されているため、表示部１２８の表示面の上下方向は、右手用グリップ部１１１の軸線Ｍ１と左手用グリップ部１１２の軸線Ｍ２とを含む平面内において右手用グリップ部１１１および左手用グリップ部１１２の延在方向と傾斜した状態となる。
【００６１】
本実施の形態における体組成測定装置１００Ａにおいては、図１および図４に示すように、右手用グリップ部１１１を含む右側ケーシング１０１が、ケース体１１４およびキャップ体１１３からなるベース部１０３に対して回動自在に取付けられており、右手用グリップ部１１１の軸線Ｍ１の延びる方向が右手用グリップ部１１１の回動軸Ｏ１の延びる方向と異なる方向となるように配置されている。このように構成することにより、回動の前後において装置本体の厚みが常に維持されることになり、測定の際および携行の際のいずれの場合にも嵩張ることのない小型で薄型の体組成測定装置となる。また、測定可能状態および収容状態のいずれの場合においても表示部１２８が露出しているため、上記いずれの状態においても表示部１２８を視認することができるようになり、取扱い性に優れた体組成測定装置とすることができる。
【００６２】
また、測定可能状態においては右手用グリップ部１１１と左手用グリップ部１１２とが被験者の肩幅程度の距離をもって離間配置されるようになるため、正しい測定姿勢が維持されるようになり、収容状態においては測定可能状態に比してコンパクトな形態とすることができるため、携行に適した小型の体組成測定装置とすることができる。
【００６３】
図６は、本実施の形態における体組成測定装置の機能ブロックを示す図である。次に、この図を参照して、本実施の形態における体組成測定装置の機能ブロックについて説明する。
【００６４】
図６に示すように、本実施の形態における体組成測定装置１００Ａは、上述した電極１３１〜１３４、表示部１２８、操作部１２０および電池１５１に加え、体組成測定装置１００Ａの全体の制御や各種演算等の処理を行なうためのマイクロコンピュータ（マイコン）１４１と、所定周波数の高周波定電流を発生する高周波定電流発生回路１５２と、電圧測定用の電極１３１，１３２より得られる電圧情報を測定する電圧測定回路１５３、電圧測定回路１５３から得られる電圧情報をアナログ信号からデジタル信号に変換するためのＡ／Ｄ（analog/digital)変換回路１５４とを備える。また、マイコン１４１には、デジタル信号化された電圧情報から身体のインピーダンスを計測するインピーダンス計測部１４２と、得られたインピーダンスを演算処理することにより、体組成を計算する体組成計算部１４３と、各種制御プログラム等を記憶するための内部メモリ１４４とを含む。
【００６５】
なお、本実施の形態における体組成測定装置１００Ａにおいて測定可能な体組成としては、たとえば体脂肪量や、除脂肪量、筋肉量、骨量、体脂肪率、筋肉率、内臓脂肪レベルなどが挙げられる。これら体組成は、いずれも上述のインピーダンス計測部１４２において得られた身体のインピーダンス値および内部メモリに記録されている被験者の身長や体重、年齢、性別といった個人データから体組成計算部１４３によって公知の手法で算出されるものである。
【００６６】
図７は、図５に示す領域ＶＩＩの拡大断面図であり、図８は、図３に示す領域ＶＩＩＩの拡大断面図である。なお、図８において、（Ａ）は測定可能状態となる直前の図であり、（Ｂ）は測定可能状態となった場合の図である。以下においては、これらの図を参照して、右側ケーシングの回動動作に伴う電源のオン／オフ動作について説明する。
【００６７】
本実施の形態における体組成測定装置１００Ａにあっては、右手用グリップ部１１１が設けられた右側ケーシング１０１が測定可能位置にあるかどうか検知する検知手段が設けられている。この検知手段は、右手用グリップ部１１１が測定可能位置にある場合に電源をマイコン１４１に供給するスイッチの役目を果たす。図３および図５に示すように、検知手段としてのスイッチングユニット１４８（図８参照）は、回路基板１４０の所定位置に取付けられている。
【００６８】
図８に示すように、スイッチングユニット１４８には、板バネ１４９が取付けられている。スイッチングユニット１４８は、スイッチ１４８ａを有しており、このスイッチ１４８ａのオン／オフ動作に連動して電源の供給が行なわれる。板バネ１４９は、直線上に延びる弾性部１４９ａと、弾性部１４９ａの先端に位置し、湾曲形状を有する当接部１４９ｂとを備えており、弾性部１４９ａに対応した位置に上述のスイッチ１４８ａが配設されている。板バネ１４９は、回路基板１４０の外側に向かって付勢力が発揮されるようにスイッチングユニット１４８に取付けられている。スイッチ１４８ａは、右側ケーシング１０１の環状部１１１ａに設けられた突起部１１１ｃが板バネ１４９の当接部１４９ｂに当接した場合にのみオン状態となる。
【００６９】
具体的には、図７に示すように、装置本体が収容状態にある場合には、右側ケーシング１０１の環状部１１１ａに設けられた突起部１１１ｃは、ケース体１１４の周壁に設けられた開口部１１４ｄの片側の端部に位置しており、突起部１１１ｃは板バネ１４９から離れた位置に存在していることになる。したがって、この状態においては、体組成測定装置１００Ａは電源が供給されていないオフ状態にある。
【００７０】
しかしながら、図８（Ａ）に示すように、被験者によって図中矢印Ｂ方向に向けて右側ケーシング１０１が回動された場合には、突起部１１１ｃが開口部１１４ｄ内を移動し、スイッチングユニット１４８が設けられた方の端部へと移動する。そして、図８（Ｂ）に示すように、右手用グリップ部１１１が測定可能位置へと達した場合には、突起部１１１ｃが板バネ１４９の当接部１４９ｂに接触し、板バネ１４９の当接部１４９ｂがその弾性部１４９ａの有する弾性力に抗してスイッチングユニット１４８側に向かって押し込まれる。これにより、スイッチ１４８ａが板バネ１４９の弾性部１４９ａによって図中矢印Ｃ方向に押下されてオン状態となり、これに伴ってマイコン１４１に電源が供給されるようになる。
【００７１】
なお、測定可能位置にある右手用グリップ部１１１を収容位置に向けて回動させた場合には、上述の突起部１１１ｃの移動に伴って板バネ１４９に対する押圧が解除され、スイッチ１４８ａがオフ状態になる。これにより、マイコン１４１への電源の供給が停止されるようになる。
【００７２】
このように構成することにより、電源ボタンを押す手間が省けるようになるとともに、電源の消し忘れを防止することが可能になる。また、測定開始ボタンを押す手間も省けるようになる。したがって、取扱い性に優れた体組成測定装置とすることができる。さらには、電源ボタンや測定開始ボタンを独立して別途設ける必要がなくなるため、装置構成を簡素化することができる。したがって、小型の体組成測定装置とすることができる。
【００７３】
なお、上述の突起部１１１ｃの先端に、上述の板バネ１４９の当接部１４９ｂに対応した形状の凹部を設ければ、板バネ１４９の当接部１４９ｂがこの凹部に嵌まり込んで係合することにより、測定可能位置に右手用グリップ部１１１が配置された状態において右手用グリップ部１１１をその位置に係止することができる。また、右手用グリップ部１１１が収容位置に配置された状態において板バネ１４９の当接部１４９ｂが位置する部分に対応した位置の右側ケーシング１０１の内周面に凹部を設ければ、板バネ１４９の当接部１４９ｂがこの凹部に嵌まり込んで係合することにより、収容位置に右手用グリップ部１１１が配置された状態において右手用グリップ部１１１をその位置に係止することが可能になる。このように構成すれば、右手用グリップ部１１１が測定可能位置にある測定可能状態および右手用グリップ部１１１が収容位置にある収容状態をその状態のまま維持することができるようになるため、取扱い性に優れた体組成測定装置とすることができる。
【００７４】
図９は、被験者が本実施の形態における体組成測定装置を用いて体組成を測定する際の測定姿勢を示す図である。図９に示すように、被験者１０は、直立した姿勢で体組成測定装置１００Ａの右手用グリップ部１１１を右手１１で、左手用グリップ部１１２を左手１２でそれぞれ把持する。その際、両腕の肘を伸ばし、体組成測定装置１００Ａが身体の前方に位置するようにほぼ肩の高さに両腕を維持し、腕と胴体とが略直角になるようにする。
【００７５】
図１０は、本実施の形態における体組成測定装置を用いて体組成を測定する際のフローチャートである。以下においては、この図を参照して、体組成を測定する際の流れについて説明する。
【００７６】
図１０に示すように、体組成を測定するに際しては、まずステップＳ１０１において右手用グリップ部１１１を左手用グリップ部１１２に対して回動させ、測定可能状態とする。このとき、上述のスイッチ１４８ａがオン状態となり、マイコン１４１に電源が供給される。次に、ステップＳ１０２においてアップボタン１２３およびダウンボタン１２４によって個人データが登録されている個人番号を設定する。その際、ステップＳ１０３において個人番号に個人データが記憶されているか否かが判定され、記憶されていない場合には、ステップＳ１０４へと移行し、設定ボタン１２１を押下する。その後、ステップＳ１０５〜Ｓ１１２にてアップボタン１２３、ダウンボタン１２４および設定ボタン１２１を操作して、順に身長、体重、年齢、性別等の個人データを設定する。
【００７７】
ステップＳ１０３において個人データが記憶されている場合、あるいはステップＳ１０４〜ステップＳ１１２において個人データの設定が完了した場合には、ステップＳ１１３へと移行し、測定開始ボタン１２２を押下する。その後、ステップＳ１１４において両グリップ部１１１，１１２を図９に示す姿勢にて把持する。そして、ステップＳ１１５においてインピーダンスが計測され、ステップＳ１１６において体組成が算出され、ステップＳ１１７において体組成の算出結果が表示部１２８に表示される。測定が終了すれば、ステップＳ１１８にて右手用グリップ部１１１を左手用グリップ部１１２に対して回動させて収容状態とする。このとき、上述のスイッチ１４８ａがオフ状態となり、マイコン１４１への電源の供給が停止される。
【００７８】
（実施の形態２）
図１１は、本発明の実施の形態２における体組成測定装置の斜視図である。まず、この図を参照して、本実施の形態における体組成測定装置の外観構造について説明する。
【００７９】
図１１に示すように、本実施の形態における体組成測定装置１０００は、第１ユニットとしての体組成計測ユニット１００Ｂと、第２ユニットとしての体重計測ユニット２００とを備えている。体組成計測ユニット１００Ｂは、上述の実施の形態１における体組成測定装置１００Ａとほぼ同様の構造を有している。具体的には、体組成計測ユニット１００Ｂは、右手で把持するための右手用グリップ部１１１が設けられた右側ケーシング１０１と、左手で把持するための左手用グリップ部１１２が設けられた左側ケーシング１０２と、表示部１２８が設けられたベース部１０３とを有し、右側ケーシング１０１の外表面の所定位置に第１電極としての電極１３１，１３３が、左側ケーシング１０２の外表面の所定位置に第２電極としての電極１３２，１３４がそれぞれ設けられている。
【００８０】
体重計測ユニット２００は、被験者が載るための台２１０を有しており、この台２１０の上面には、被験者の右足が載置される右足用載置部２１３および被験者の左足が載置される左足用載置部２１４が設けられている。右足用載置部２１３の踵側には、インピーダンス測定時において電圧を測定するための電極２２１が設けられており、右足用載置部２１３の爪先側には、インピーダンス測定時において電流を印加するための電極２２３が設けられている。これら電極２２１，２２３は、被験者の右足の裏に接触させるための第３電極に相当する。また、左足用載置部２１４の踵側には、インピーダンス測定時において電圧を測定するための電極２２２が設けられており、左足用載置部２１４の爪先側には、インピーダンス測定時において電流を印加するための電極２２４が設けられている。これら電極２２２，２２４は、被験者の左足の裏に接触させるための第４電極に相当する。
【００８１】
また、体重計測ユニット２００の台２１０の所定位置には、上述の体組成計測ユニット１００Ｂを収容するための収容部２１１が設けられており、この収容部２１１の所定位置からは接続コード２３２が引き出されている。接続コード２３２は、台２１０の内部に設けられたコード巻き取りユニット２４０にその一方の端部２３２ｂが固定されており、他方の端部２３２ａにはプラグが設けられ、体組成計測ユニット１００Ｂに設けられた接続端子１５０に着脱自在に接続される。なお、体重計測ユニット２００の台２１０の所定位置には、電源ボタン２３１が設けられている。
【００８２】
図１２は、本実施の形態における体組成測定装置の体組成計測ユニットのハウジングの組付構造を示す分解斜視図である。次に、図１２を参照して、本実施の形態における体組成計測ユニットのハウジングの構造について説明する。
【００８３】
本実施の形態における体組成測定装置１０００においても体組成計測ユニット１００Ｂは、上述の実施の形態１における体組成測定装置１００Ａと同様に、右側ケーシング１０１と左側ケーシング１０２とベース部１０３としてのキャップ体１１３およびケース体１１４とによって構成されている。
【００８４】
右側ケーシング１０１は、一方向に向かって延在する棒状の部分からなる右手用グリップ部１１１と、この右手用グリップ部１１１の一端から連続して延び、環状に形成された環状部１１１ａとを有している。右側ケーシング１０１の環状部１１１ａの内周面の所定位置には、突起部１１１ｃが内側に向けて突設されている。一方、左側ケーシング１０２は、一方向に向かって延在する棒状の部分からなる左手用グリップ部１１２と、この左手用グリップ部１１２の一端から連続して延び、環状に形成された環状部１１２ａとを有している。左側ケーシング１０２の環状部１１２ａの内周面の所定位置には、突起部１１２ｃが内側に向けて突設されている。
【００８５】
ケース体１１４は、上面が開口した有底筒状の部材からなり、内部に収容空間１１４ａを有している。ケース体１１４の周壁の所定位置には、複数の開口部１１４ｂ，１１４ｃ，１１４ｄ，１１４ｅが設けられている。このうち、開口部１１４ｄは、上述の右側ケーシング１０１の環状部１１１ａに設けられた突起部１１１ｃに対応した位置に設けられており、この突起部１１１ｃは、組付け後において開口部１１４ｄ内を移動することになる。また、開口部１１４ｅは、上述の左側ケーシング１０２の環状部１１２ａに設けられた突起部１１２ｃに対応した位置に設けられており、この突起部１１２ｃは、組付け後において開口部１１４ｅ内を移動することになる。
【００８６】
ケース体１１４の周壁には、右側ケーシング１０１の環状部１１１ａおよび左側ケーシング１０２の環状部１１２ａがそれぞれこの順で外挿される。そして、右側ケーシング１０１の環状部１１１ａおよび左側ケーシング１０２の環状部１１２ａが外挿されたケース体１１４には、収容空間１１４ａを閉塞するようにキャップ体１１３が取付けられる。この際、右側ケーシング１０１の環状部１１１ａおよび左側ケーシング１０２の環状部１１２ａは、ケース体１１４の外周面上においてケース体１１４のフランジ部とキャップ体１１３の外周縁部とによって挟み込まれる。そして、ケース体１１４とキャップ体１１３とは、図示しない固定手段によって互いに移動不能になるように固定される。そのため、右側ケーシング１０１および左側ケーシング１０２は、ケース体１１４およびキャップ体１１３からなるベース部１０３に対して回動自在に組付けられることになる。なお、これにより、右側ケーシング１０１の回動軸と左側ケーシング１０２の回動軸とは、同一直線上に配置されることになる。
【００８７】
本実施の形態における体組成計測ユニット１００Ｂにおいては、上述のように、右側ケーシング１０１の右手用グリップ部１１１および左側ケーシング１０２の左手用グリップ部１１２がそれぞれベース部１０３に対して回動する。その回動動作は、右手用グリップ部１１１の軸線と左手用グリップ部１１２の軸線とを含む平面内においてのみ可能であり、その回動可能範囲は、上述のケース体１１４の周壁に設けられた開口部１１４ｄおよび１１４ｅの周方向における長さによって決定される。本実施の形態における体組成計測ユニット１００Ｂにおいては、開口部１１４ｄおよび１１４ｅの長さを調節することにより、右手用グリップ部１１１および左手用グリップ部１１２の回動角をそれぞれ概ね４５°としている。しかしながら、この回動角は、特に限定されるものではなく、好ましくはそれぞれ３０°〜９０°の範囲内の角、より好ましくは、４５°〜６０°の範囲内の角とする。
【００８８】
上記の構造を採用することにより、本実施の形態における体組成計測ユニット１００Ｂにおいては、右手用グリップ部１１１および左手用グリップ部１１２がその回動可能範囲内において最も遠ざかった測定可能状態と、右手用グリップ部１１１および左手用グリップ部１１２がその回動可能範囲内において最も近付いた収容状態とをとることが可能になる。このように構成することにより、回動の前後において装置本体の厚みが常に維持されることになり、測定の際および携行の際のいずれの場合にも嵩張ることのない小型で薄型の体組成計測ユニットとなる。また、測定可能状態および収容状態のいずれの場合においても表示部１２８が露出しているため、上記いずれの状態においても表示部１２８を視認することができるようになり、取扱い性に優れた体組成計測ユニットとすることができる。また、測定可能状態においては右手用グリップ部１１１と左手用グリップ部１１２とが被験者の肩幅程度の距離をもって離間配置されるようになるため、正しい測定姿勢が維持されるようになり、収容状態においては測定可能状態に比してコンパクトな形態とすることができる。
【００８９】
なお、上述の実施の形態１における体組成測定装置１００Ａにあっては、収容状態において表示部１２８の表示面の上下方向が、右手用グリップ部１１１の軸線Ｍ１と左手用グリップ部１１２の軸線Ｍ２とを含む平面内において右手用グリップ部１１１および左手用グリップ部１１２の延在方向と傾斜した状態に構成されていた。しかしながら、本実施の形態における体組成計測ユニット１００Ｂにおいては、表示部１２８が設けられたキャップ体１１３は、右側ケーシング１０１および左側ケーシング１０２のいずれにも固定されていないため、上述の突起部１１１ｃ，１１２ｃおよび開口部１１４ｄ，１１４ｅの形成位置を調節することにより、表示部１２８の表示面の上下方向を右手用グリップ部１１１の軸線Ｍ１と左手用グリップ部１１２の軸線Ｍ２とを含む平面内において右手用グリップ部１１１および左手用グリップ部１１２の延在方向と同一の方向にすることができる。
【００９０】
本実施の形態における体組成測定装置１０００においては、体組成計測ユニット１００Ｂが収容状態にある場合にのみ体重計測ユニット２００の収容部２１１に収容可能となるように構成されている。図１３は、本実施の形態における体組成測定装置において、体組成計測ユニットを体重計測ユニットの収容部に収容した状態を示す斜視図である。
【００９１】
図１３に示すように、体組成計測ユニット１００Ｂを体重計測ユニット２００の収容部２１１に収容した状態においては、体組成計測ユニット１００Ｂと体重計測ユニット２００とを接続している接続コード２３２のコード巻き取りユニット２４０に固定されている方の端部２３２が、このコード巻き取りユニット２４０によって巻き取られることにより、体重計測ユニット２００内に接続コード２３２の大部分が引き込まれて収容された状態となっている。そして収容状態にある体組成計測ユニット１００Ｂの上面は、体重計測ユニット２００の上面上において露出した状態となっており、体組成計測ユニット１００Ｂの表示部１２８も露出した状態となっている。なお、この状態において、電源ボタン２３１を投入し、体組成計測ユニット１００Ｂを収容部２１１から取り出さなければ、体重計測のみのモードとして体組成測定装置１０００が動作するようにすると、利便性に優れた体組成計測装置とすることができる。
【００９２】
図１４は、本実施の形態における体組成測定装置の機能ブロックを示す図である。次に、この図を参照して、本実施の形態における体組成測定装置の機能ブロックについて説明する。
【００９３】
図１４に示すように、本実施の形態における体組成測定装置１０００は、上記した複数の電極１３１〜１３４，２２１〜２２４、表示部１２８、操作部１２０に加え、体組成測定装置１０００の全体の制御や各種演算等の処理を行なうためのマイコン１４１と、所定周波数の高周波定電流を発生する高周波定電流発生回路１５２と、体重を計測するための体重計測部１８５と、電流印加用の電極１３３，１３４，２２３，２２４を切り替えるための電流印加用電極切替回路１８６と、電圧測定用の電極１３１，１３２，２２１，２２２を切り替えるための電圧測定用電極切替回路１８７と、電圧測定用電極切替回路１８７より得られる電圧情報および体重計測部１８５より得られる体重情報のいずれか一方に入力を切り替えるため入力切替回路１８８と、入力切替回路１８８より得られる電圧情報および体重情報をアナログ信号からデジタル信号に変換するためのＡ／Ｄ変換回路１５４と、マイコン１４１に電力を供給するための電池１５１とを備える。また、マイコン１４１には、デジタル信号化された電圧情報から身体のインピーダンスを計測するインピーダンス計測部１４２と、得られたインピーダンスを演算処理することにより、体組成を計算する体組成計算部１４３と、各種制御プログラム等を記憶するための内部メモリ１４４とを含む。
【００９４】
図１５は、被験者が本実施の形態における体組成測定装置１０００を用いて、体組成を測定する際の測定姿勢を示す図である。図１５に示すように、被験者１０は直立した姿勢で、右足１３および左足１４をそれぞれ体重計測ユニット２００の右足用載置部２１３および左足用載置部２１４に配置し、体組成計測ユニット１００Ｂの右手用グリップ部１１１を右手１１で、左手用グリップ部１１２を左手１２でそれぞれ把持する。その際、両腕の肘を伸ばし、体組成計測ユニット１００Ｂが身体の前方に位置するようにほぼ肩の高さに両腕を維持し、腕と胴体とが略直角になるようにする。
【００９５】
本実施の形態における体組成測定装置１０００においては、上述の電流印加用電極切替回路１８６および電圧測定用電極切替回路１８７を用いて使用する電極を切替えることにより、身体の部位別のインピーダンスを計測することが可能である。ここで「身体の部位」とは、測定対象となる被験者の頭部を除く全身を複数の部位に分割した場合の１つの部位を意味し、胴体および四肢のいずれかの部位、または、さらにそれらを分割したいずれかの部位などを表わす。分割の仕方としては、たとえば全身を左腕部、右腕部、左脚部、右脚部、体幹部の５つの部位に分割することが一般的である。
【００９６】
なお、本実施の形態における体組成測定装置１０００において測定可能な体組成としては、たとえば全身のまたは部位別の体脂肪量や、除脂肪量、筋肉量、骨量、体脂肪率、筋肉率、内臓脂肪レベルなどが挙げられる。これら体組成は、いずれも上述のインピーダンス計測部１４２において得られた身体のインピーダンス値および内部メモリに記録されている被験者の身長や年齢、性別といった個人データから体組成計算部１４３によって公知の手法で算出されるものである。
【００９７】
図１６は、本実施の形態における体組成測定装置を用いて体組成を測定する際のフローチャートである。以下においては、この図を参照して、体組成を測定する際の流れについて説明する。
【００９８】
図１６に示すように、体組成を測定するに際しては、まずステップＳ２０１において体重計測ユニット２００に設けられた電源ボタン２３１を押下する。そして、ステップＳ２０２において体組成計測ユニット１００Ｂを体重計測ユニット２００の収容部２１１から取り出し、右手用グリップ部１１１および左手用グリップ部１１２を回動させ、測定可能状態とする。次に、ステップＳ２０３においてアップボタン１２３およびダウンボタン１２４によって個人データが登録されている個人番号を設定する。その際、ステップＳ２０４において個人番号に個人データが記憶されているか否かが判定され、記憶されていない場合には、ステップＳ２０５へと移行し、設定ボタン１２１を押下する。その後、ステップＳ２０６〜Ｓ２１１にてアップボタン１２３、ダウンボタン１２４および設定ボタン１２１を操作して、順に身長、年齢、性別等の個人データを設定する。
【００９９】
ステップＳ２０４において個人データが記憶されている場合、あるいはステップＳ２０６〜ステップＳ２１１において個人データの設定が完了した場合には、ステップＳ２１２へと移行し、測定開始ボタン１２２を押下する。その後、ステップＳ２１３において体重計測ユニット２００に載るとともに両グリップ部１１１，１１２を図１６に示す姿勢にて把持する。そして、ステップＳ２１４において体重の計測が行なわれ、次いでステップＳ２１５においてインピーダンスが計測される。そして、ステップＳ２１６において体組成が算出され、ステップＳ２１７において体組成の算出結果が表示部１２８に表示される。測定が終了すれば、ステップＳ２１８にて右手用グリップ部１１１および左手用グリップ部１１２を回動させて収容状態とし、体組成計測ユニット１００Ｂを体重計測ユニット２００の収容部２１１に収容する。そして、ステップＳ２１９にて電源ボタン２３１を押下する。
【０１００】
以上の如くの体組成測定装置１０００とすることにより、接続コード２３２を取外すことによって体組成計測ユニット１００Ｂを体重計測ユニット２００から取外し、取外した体組成計測ユニット１００Ｂのみを用いて身体のインピーダンスを計測して体組成の測定を行なう使用態様と、体組成計測ユニット１００Ｂおよび体重計測ユニット２００を接続コード２３２によって接続し、これらを用いて身体の部位別のインピーダンスを計測することによってより精緻に体組成を測定する使用態様とを、適宜選択することができるようになる。その場合に、体組成計測ユニット１００Ｂのみを携行することも可能になり、また体組成計測ユニット１００Ｂを体重計測ユニット２００の収容部２１１に収容することも可能になる。したがって、使い勝手のよい体組成測定装置とすることができる。また、上記の構成を採用することにより、全体として装置の外形を大幅に小型化することができる。なお、上記いずれの使用態様を選択した場合にも、表示部が常に視認可能となるため、使い勝手のよい体組成測定装置とすることができる。
【０１０１】
（実施の形態３）
図１７は、本発明の実施の形態３における体組成測定装置の上面図である。本実施の形態における体組成測定装置１００Ｃは、上述の実施の形態２における体組成計測ユニット１００Ｂと同様に、右側ケーシング１０１および左側ケーシング１０２の両方がベース部１０３に対して回動する。しかしながら、右側ケーシング１０１および左側ケーシング１０２のそれぞれは、ベース部１０３の異なる位置に設けられた枢軸１０１ａ，１０２ａによってそれぞれ回動自在に支持されている。すなわち、右手用グリップ部１１１の回動軸Ｏ１と左手用グリップ部１１２の回動軸Ｏ２とが異なる位置に配置されている。しかしながら、上記回動軸Ｏ１と回動軸Ｏ２とは、平行に配置されている。
【０１０２】
右側ケーシング１０１のベース部１０３内に収容された方の端部には、歯１０１ｂが設けられており、左側ケーシング１０２のベース部１０３内に収容された方の端部には、歯１０２ｂが設けられている。そして、これら歯１０１ｂおよび歯１０２ｂは、互いに噛合しており、一方のグリップ部を回動させれば他方のグリップ部が回動するように構成されている。たとえば、右手用グリップ部１１１を図中矢印Ｄ１方向に回動させれば、左手用グリップ部１１２が図中矢印Ｄ２方向に回動する。このように、何らかのリンク機構を用いて右手用グリップ部１１１と左手用グリップ部１１２とが連動するように構成すれば、さらなる操作性の向上を図ることも可能である。
【０１０３】
上述の実施の形態１ないし３においては、表示部１２８の表示面が、右手用グリップ部１１１の軸線Ｍ１と左手用グリップ部１１２の軸線Ｍ２とを含む平面と実質的に平行となるように構成した場合を例示して説明を行なったが、これらの面が平行である必要はなく、非平行とすることも可能である。特に、被験者が図９および図１５に示す如くの測定姿勢をとった場合に、表示部１２８の表示面が被験者側に面するように表示部１２８を配置すれば、より視認性の面において好適である。しかしながら、上述の実施の形態２の如くの構成とした場合には、体組成計測ユニット１００Ｂを体重計測ユニット２００の収容部に収容した状態で体重計測を行なうことをも前提としているため、その場合にも視認性が損なわれないように、その傾斜角を適度に調節することが必要である。
【０１０４】
また、上述の実施の形態１ないし３においては、体組成測定装置１００Ａ、体組成計測ユニット１００Ｂおよび体組成測定装置１００Ｃに電源ボタンを設けない構成とした場合を例示して説明を行なったが、当然にこれらに電源ボタンを別途設けるように構成してもよい。
【０１０５】
また、上述の実施の形態１ないし３においては、右手用グリップ部１１１および／または左手用グリップ部１１２を回動させて測定可能状態とした場合に、自動的に電源が供給されるように構成した場合を例示して説明を行なったが、これに加え、マイコン１４１に電源が供給された場合にマイコン１４１による計測が直ちにあるいは所定時間経過後に開始されるように構成してもよい。
【０１０６】
また、上述の実施の形態２においては、体組成計測ユニット１００Ｂと体重計測ユニット２００とが着脱自在に有線接続される場合を例示して説明を行なったが、接続コードは必ずしも着脱自在とする必要はなく、着脱不能に構成してもよい。
【０１０７】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１０８】
【図１】本発明の実施の形態１における体組成測定装置の測定可能状態における外観を示す斜視図である。
【図２】本発明の実施の形態１における体組成測定装置のハウジングの組付構造を示す分解斜視図である。
【図３】本発明の実施の形態１における体組成測定装置の断面図である。
【図４】本発明の実施の形態１における体組成測定装置の収容状態における外観を示す斜視図である。
【図５】本発明の実施の形態１における体組成測定装置の収容状態における断面図である。
【図６】本発明の実施の形態１における体組成測定装置の機能ブロックを示す図である。
【図７】図５に示す領域ＶＩＩの拡大断面図である。
【図８】図３に示す領域ＶＩＩＩの拡大断面図であり、（Ａ）は測定可能状態となる直前の図、（Ｂ）は測定可能状態となった場合の図である。
【図９】被験者が本発明の実施の形態１における体組成測定装置を用いて体組成を測定する際の測定姿勢を示す図である。
【図１０】本発明の実施の形態１における体組成測定装置を用いて体組成を測定する際のフローチャートである。
【図１１】本発明の実施の形態２における体組成測定装置の斜視図である。
【図１２】本発明の実施の形態２における体組成測定装置の体組成計測ユニットのハウジングの組付構造を示す分解斜視図である。
【図１３】本発明の実施の形態２における体組成測定装置において、体組成計測ユニットを体重計測ユニットの収容部に収容した状態を示す斜視図である。
【図１４】本発明の実施の形態２における体組成測定装置の機能ブロックを示す図である。
【図１５】被験者が本発明の実施の形態２における体組成測定装置１０００を用いて、体組成を測定する際の測定姿勢を示す図である。
【図１６】本発明の実施の形態２における体組成測定装置を用いて体組成を測定する際のフローチャートである。
【図１７】本発明の実施の形態３における体組成測定装置の上面図である。
【図１８】従来の体組成測定装置の一構成を示す斜視図である。
【符号の説明】
【０１０９】
１０  被験者、１１  右手、１２  左手、１３  右足、１４  左足、１００Ａ，１００Ｃ，１００Ｄ，１０００  体組成測定装置、１００Ｂ  体組成計測ユニット、１０１  右側ケーシング、１０２  左側ケーシング、１０１ａ，１０２ａ  枢軸、１０１ｂ，１０２ｂ  歯、１０３  ベース部（本体ケーシング）、１１１  右手用グリップ部、１１２  左手用グリップ部、１１１ａ，１１２ａ  環状部、１１１ｂ，１１２ｂ  開口部、１１１ｃ，１１２ｃ  突起部、１１３  キャップ体、１１４  ケース体、１１４ａ  収容空間、１１４ｂ〜１１４ｅ  開口部、１２０  操作部、１２１  設定ボタン、１２２  測定開始ボタン、１２３  アップボタン、１２４  ダウンボタン、１２８  表示部、１２８ａ  表示窓、１３１〜１３４  電極、１４０  回路基板、１４１  マイコン、１４２  インピーダンス計測部、１４３  体組成計算部、１４４  内部メモリ、１４８  スイッチングユニット、１４８ａ  スイッチ、１４９  板バネ、１４９ａ  弾性部、１４９ｂ  当接部、１５１  電池、１５０  接続端子、１５２  高周波定電流発生回路、１５３  電圧測定回路、１５４  Ａ／Ｄ変換回路、１８５  体重計測部、１８６  電流印加用電極切替回路、１８７  電圧測定用電極切替回路、１８８  入力切替回路、２００  体重計測ユニット、２１０  台、２１１  収容部、２１３  右足用載置部、２１４  左足用載置部、２２１〜２２４  電極、２３１  電源ボタン、２３２  接続コード、２４０  コード巻き取りユニット。
【図１】
2007117623.tif 000003
【図２】
2007117623.tif 000004
【図３】
2007117623.tif 000005
【図４】
2007117623.tif 000006
【図５】
2007117623.tif 000007
【図６】
2007117623.tif 000008
【図７】
2007117623.tif 000009
【図８】
2007117623.tif 000010
【図９】
2007117623.tif 000011
【図１０】
2007117623.tif 000012
【図１１】
2007117623.tif 000013
【図１２】
2007117623.tif 000014
【図１３】
2007117623.tif 000015
【図１４】
2007117623.tif 000016
【図１５】
2007117623.tif 000017
【図１６】
2007117623.tif 000018
【図１７】
2007117623.tif 000019
【図１８】
2007117623.tif 000020